(57)【要約】      （修正有）【課題】装着位置がずれ落ちることなく、顔に張り付く張力が顔の大きさに応じて調整され、製造コストを抑制しながらファッション性が高いマスク装着補助具を提供する。【解決手段】マスク装着補助具１は、装身具２、紐パーツ３、蟹鐶４、ビーズ５を備える。装身具２は、バレッタの両端部にフック２ｂが設けられて構成されている。バレッタは、基台２ａ１の表面に装飾部材２ａ２、裏面に板バネ２ａ３が髪留め具として固定されている。紐パーツ３は伸縮自在な紐状部材３ａからなり、両端部が先止め金具３ｂで束ねられて、輪がフック２ｂに引っ掛けられる。蟹鐶４は、閉じた環を形成し、外力が加えられると環を開く。また、一端が先止め金具３ｂに取り付けられ、環にマスク紐が引っ掛けられる。ビーズ５は、紐状部材３ａに移動自在に通され、フック２ｂ側に移動させられて、輪の大きさを絞る。【選択図】図１
0003228008.tif 000002
【実用新案登録請求の範囲】
【請求項１】
表面に装飾部材、裏面に髪留め具が設けられ、長手方向の両端部にフックが設けられた、前記髪留め具によって後頭部の髪に装着されて使用される装身具と、
両端部が先止め具で束ねられ、前記先止め具と反対側の折り返し部に形成される輪が前記フックに引っ掛けられる、伸縮自在な紐状部材からなる一対のマスク紐張力緩衝部材と、
閉じた環を形成し、内蔵するバネの力に抗する外力が加えられると前記環を開く、一端が前記先止め具に取り付けられ、他端に形成される前記環にマスク紐が引っ掛けられる一対の鐶金具と、
束ねられた前記紐状部材に移動自在に通されて、マスク装着時に前記フック側に移動させられることで、前記フックに引っ掛けられる前記輪の大きさを絞る一対の環状部材と
を備えて構成されるマスク装着補助具。
【考案の詳細な説明】
【技術分野】
【０００１】
本考案は、顔にマスクを装着する際にマスク装着の補助となるマスク装着補助具に関するものである。
【背景技術】
【０００２】
従来、この種のマスク装着補助具としては、例えば、特許文献１の図１〜図４に開示されたマスク用補助具がある。このマスク用補助具は、長尺の支持部材とその両端に付設された係止部材とを有する。支持部材および係止部材は、弾性を有し且つ折曲可能な例えばシリコン樹脂などにより、板状に一体に形成される。係止部材は、平面がほぼ楕円形を呈する膨出部の中央に折曲部が縦方向に設けられているとともに、その折曲部を挟んで互いに係脱可能な係止孔と係止突起とが一体に設けられている。
【０００３】
使用時には、マスクの耳掛け紐を係止部材の折曲部付近に当て、折曲部を折り曲げて係止突起を係止孔に挿入して、係止する。この操作をマスクの両耳掛け紐について行い、マスクの両耳掛け紐にそれぞれ係止部材を係止して、マスクを装着する。
【先行技術文献】
【特許文献】
【０００４】
【特許文献１】特開２０１１−５５８９６号公報
【考案の概要】
【考案が解決しようとする課題】
【０００５】
従来のマスク用補助具は、上記のように、各係止部材がマスクの両耳掛け紐にそれぞれ係止され、支持部材が後頭部に当てられて、顔にマスクが装着される。しかしながら、上記従来のマスク用補助具は、マスクを装着して時間が経過すると、後頭部における支持部材の位置が首の方へずれ落ちてくる。このため、マスク装着者は、度々、ずれ落ちた支持部材を元の高さに戻す操作が必要とされ、その操作に煩わされる。
【０００６】
また、上記従来のマスク用補助具は、支持部材がシリコン樹脂などにより形成され、弾性を有するが、支持部材の長手方向における伸縮性に欠ける。したがって、上記従来のマスク用補助具は、マスクがマスク装着者の顔に張り付く張力は、その支持部材の長さと、マスク紐の有する張力と、マスク装着者の顔の大きさとによって、一律に定まる。このため、マスク装着者の顔の大きさによっては、顔に大きな張力がかかって痛みを感じたり、また、張力が足りなくて装着したマスクがずれ落ちたりする。
【０００７】
また、上記従来のマスク用補助具は、支持部材および各係止部材の形態や素材、更には色彩やデザインなどを選択することにより、デザイン（ ファッション）性を向上させることができる。しかし、それには、マスク用補助具の製造金型などの製造設備を変更する必要があり、マスク用補助具を製造するコストの抑制が難しくなる。
【課題を解決するための手段】
【０００８】
本考案はこのような課題を解決するためになされたもので、
表面に装飾部材、裏面に髪留め具が設けられ、長手方向の両端部にフックが設けられた、髪留め具によって後頭部の髪に装着されて使用される装身具と、
両端部が先止め具で束ねられ、先止め具と反対側の折り返し部に形成される輪がフックに引っ掛けられる、伸縮自在な紐状部材からなる一対のマスク紐張力緩衝部材と、
閉じた環を形成し、内蔵するバネの力に抗する外力が加えられると環を開く、一端が先止め具に取り付けられ、他端に形成される環にマスク紐が引っ掛けられる一対の鐶金具と、
束ねられた紐状部材に移動自在に通されて、マスク装着時にフック側に移動させられることで、フックに引っ掛けられる輪の大きさを絞る一対の環状部材と
を備えて、マスク装着補助具を構成した。
【０００９】
本構成によれば、マスク装着補助具は、装身具の裏面に設けられた髪留め具によって後頭部の髪に装着されることで、その装着位置は最初に装着された位置に保持される。このため、従来のマスク用補助具のように、マスクを装着して時間が経過しても、後頭部における装着位置が首の方へずれ落ちてくることはない。このため、マスク装着者は、従来のように、度々、ずれ落ちたマスク用補助具を元の高さに戻す操作に煩わされなくなる。
【００１０】
また、本構成によれば、マスクがマスク装着者の顔に張り付く張力は、マスク装着補助具が備える一対のマスク紐張力緩衝部材により、マスク装着者の顔の大きさに応じて調整される。このため、マスク装着者の顔の大きさによって顔に大きな張力がかかって痛みを感じさせたり、また、張力が足りなくて装着したマスクがずれ落ちたりすることは、無くなる。
【００１１】
また、本構成によれば、マスク装着補助具は、従来から存在する、髪留め具によって後頭部の髪に装着されて使用される装身具の両端部にフックを設けることで、構成される。したがって、従来のマスク用補助具と比べて、製造設備の僅かな変更で、製造することが可能となる。このため、マスク装着補助具の製造コストを抑制することが容易で、しかも、従来からの装身具が持つデザイン（ ファッション）性が生かされたマスク装着補助具を提供することができる。
【考案の効果】
【００１２】
本考案によれば、上記のように、装着位置がずれ落ちることなく、また、マスク装着者の顔に張り付く張力がマスク装着者の顔の大きさに応じて調整され、しかも、製造コストを抑制しながらファッション性が高いマスク装着補助具を提供することができる。
【図面の簡単な説明】
【００１３】
【図１】本考案の一実施形態によるマスク装着補助具の斜視図である。
【図２】（ａ）は、図１に示すマスク装着補助具を構成する装身具の平面図、（ｂ）は側面図である。
【図３】（ａ）は、図１に示すマスク装着補助具を構成する紐パーツの平面図、（ｂ）は側面図である。
【考案を実施するための形態】
【００１４】
次に、本考案のマスク装着補助具を実施するための形態について、説明する。
【００１５】
図１は、本考案の一実施形態によるマスク装着補助具１の斜視図である。
【００１６】
マスク装着補助具１は、装身具２、一対の紐パーツ３，３、一対の蟹鐶４，４、および、一対のビーズ５，５を備えて、構成される。
【００１７】
図２（ａ）は装身具２の平面図、図２（ｂ）は側面図である。装身具２は、バレッタの長手方向の両端部にフック２ｂ，２ｂが設けられて構成される。バレッタは、長方形状の金属板が湾曲加工されて形成された基台２a1を土台にして、構成されている。基台２a1の表面には装飾部材２a2、裏面には板バネ２a3が髪留め具として、溶接等されて固定されている。装身具２は、板バネ２a3によって後頭部の髪に装着されて使用される。各フック２ｂ，２ｂは側面から見てＵの字状をしており、基台２a1の両端部端面および装飾部材２a2の裏面に溶接等されて、固定されている。
【００１８】
図３（ａ）は紐パーツ３の平面図、図３（ｂ）は側面図である。紐パーツ３は伸縮自在なゴム紐等の紐状部材３ａからなり、長さ方向の中間部で折り返されて、両端部がリボン留め等の先止め金具３ｂで束ねられている。各紐パーツ３，３は、先止め金具３ｂと反対側の折り返し部に形成される輪３ｃがフック２ｂ，２ｂに引っ掛けられる、一対のマスク紐張力緩衝部材を構成する。
【００１９】
各紐パーツ３，３の先止め金具３ｂには、丸鐶６を介して蟹鐶４が一対取り付けられている。各蟹鐶４，４は、閉じた環４ａを形成し、内蔵する図示しないバネの力に抗する外力が操作部４ｂに加えられると、顎部４ｃが引っ込んで、環４ａを開く、一対の鐶金具を構成する。各蟹鐶４，４は、一端が丸鐶６を介して先止め金具３ｂに取り付けられ、他端に形成される環４ａにマスク紐が引っ掛けられる。
【００２０】
また、各紐パーツ３，３の、束ねられた紐状部材３ａには、ビーズ５，５が一対通される。ビーズ５，５は一対の環状部材を構成し、貫通孔が中央に形成されて、外周囲に小球状の飾が付いたリング状の形状をしている。束ねられた紐状部材３ａは、その貫通孔に通される。このビーズ５，５は、束ねられた紐状部材３ａに移動自在に通されて、マスク装着時にフック２ｂ，２ｂ側に移動させられることで、フック２ｂ，２ｂに引っ掛けられる輪３ｃの大きさを絞る。
【００２１】
このような構成をした本実施形態によるマスク装着補助具１は、バレッタの裏面に設けられた板バネ２a3によって後頭部の髪に装着されることで、その装着位置は最初に装着された位置に保持される。このため、従来のマスク用補助具のように、マスクを装着して時間が経過しても、マスク装着補助具１の後頭部における装着位置が首の方へずれ落ちてくることはない。このため、マスク装着者は、従来のように、度々、ずれ落ちたマスク用補助具を元の高さに戻す操作に煩わされなくなる。
【００２２】
また、本実施形態によるマスク装着補助具１によれば、マスクがマスク装着者の顔に張り付く張力は、マスク装着補助具１が備える、一対のマスク紐張力緩衝部材を構成する紐パーツ３，３により、マスク装着者の顔の大きさに応じて調整される。このため、マスク装着者の顔の大きさによって顔に大きな張力がかかって痛みを感じさせたり、また、張力が足りなくて装着したマスクがずれ落ちたりすることは、無くなる。
【００２３】
また、本実施形態によるマスク装着補助具１によれば、マスク装着補助具１は、従来から存在する、板バネ２a3によって後頭部の髪に装着されて使用される装身具２の両端部にフック２ｂ，２ｂを設けることで、構成される。したがって、従来のマスク用補助具と比べて、製造設備の僅かな変更で、製造することが可能となる。このため、マスク装着補助具１の製造コストを抑制することが容易で、しかも、従来からの装身具２が持つデザイン（ ファッション）性が生かされたマスク装着補助具１を提供することができる。
【符号の説明】
【００２４】
１…マスク装着補助具
２…装身具
２a1…基台
２a2…装飾部材
２a3…板バネ
２ｂ…フック
３…紐パーツ
３ａ…紐状部材（マスク紐張力緩衝部材）
３ｂ…先止め金具（先止め具）
３ｃ…輪
４…蟹鐶（鐶金具）
４ａ…環
４ｂ…操作部
４ｃ…顎部
５…ビーズ（環状部材）
６…丸鐶
【図１】
0003228008.tif 000003
【図２】
0003228008.tif 000004
【図３】
0003228008.tif 000005